(57)【特許請求の範囲】
【請求項１】
内部が隔壁（２）により上室（３）及び下室（４）に分かれ、前記上室及び前記下室が上スリット（５）及び下スリット（６）により開口するウェイトバー（１）に脱着可能な止め具（１０）からなる引き手であって、前記止め具は、軸部（１１）と、前記軸部の上端から直径方向に延長して湾曲する両腕部（１２）と、前記軸部の下端から、前記両腕部に直交する方向に延長する両脚部（１３）と、それらを上下に貫通する軸孔（１４）とからなり、前記両腕部の延長方向に直交する方向の幅及び前記軸部の外径は前記下スリットの内幅以下であり、前記両脚部の延長方向に直交する方向の幅は前記下スリットの内幅以上であり、前記止め具は、前記両腕部及び前記軸部を前記下スリットに挿入して４分の１回転すると、前記両腕部が前記隔壁と前記下スリットの両側壁（７）の間に弾性的に挟持されて前記ウェイトバーに固定されるように形成されたことを特徴としてなるロールスクリーンの引き手。
【請求項２】
内部が隔壁（２）により上室（３）及び下室（４）に分かれ、前記上室及び前記下室が上スリット（５）及び下スリット（６）により開口するウェイトバー（１）が挿通される割りスリーブ状のプルグリップ（１５）と、前記プルグリップに内装されて前記ウェイトバーを支える押え具（２０）と、前記押え具に脱着可能な止め具（１０）とからなる引き手であって、前記プルグリップは底部（１８）に長手方向に延長する長孔（１６）と、前記底部（１８）の下面の前記長孔の両端に凹部（１７）を有し、前記押え具は前記ウェイトバーの下面に沿う押え板部（２３）と、前記押え板部から前記長孔内に垂下して下端の凸部（２２）が前記凹部にはまる両足部（２１）とからなり、前記止め具は、軸部（１１）と、前記軸部の上端から直径方向に延長して湾曲する両腕部（１２）と、前記軸部の下端から、前記両腕部に直交する方向に延長する両脚部（１３）と、それらを上下に貫通する軸孔（１４）とからなり、前記両腕部の延長方向に直交する方向の幅及び前記軸部の外径は前記下スリットの内幅以下であり、前記両脚部の延長方向に直交する方向の幅は前記下スリットの内幅以上であり、前記長孔の内幅は前記下スリットの内幅と略等しく、前記両足部間の内幅は前記両腕部の延長方向幅以上であり、前記長孔内の前記両足部の間に前記止め具の前記両腕部及び前記軸部が挿入されて４分の１回転すると、前記両腕部が前記底部と前記押え板部の間に弾性的に挟持されて前記押え板部が前記ウェイトバーを前記プルグリップの上端側内周面に押圧して固定するように形成されたことを特徴としてなるロールスクリーンの引き手。
【請求項３】
前記軸孔（１４）にプルコード（２６）が連結されたことを特徴としてなる請求項１又は２記載のロールスクリーンの引き手。
【請求項４】
前記プルグリップ（１５）は前記底部（１８）の両側端部にプルリング（２７）の両端部を脱着自在にかつ回動可能に軸受けする軸受部（１９）を備えることを特徴としてなる請求項２記載のロールスクリーンの引き手。
【請求項５】
前記ウェイトバー（１）はスクリーン（８）の筒状の下端部（９）に挿入されていることを特徴としてなる請求項２又は４記載のロールスクリーンの引き手。
【発明の詳細な説明】
【０００１】
【発明の属する技術分野】
本発明はロールスクリーンの引き手に関する。
【０００２】
【従来の技術】
ロールスクリーンの引き手は、プルグリップ、プルコード、プルリングの３形式があり、これらは、さらに、スクリーンの下端部がウェイトバーの内部に止着されるか、筒状に縫製されてウェイトバーに外嵌されるかによって２分されるから、合計６種類の形式となる。
【０００３】
従来の引き手は６種類のものが、相互に関係なく製造され販売されていた。そのため、製造コストを低減することができなかった。
又、従来の引き手は、ユーザが必ずしも容易に脱着することができなかった。特に、スクリーンの筒状の下端部がウェイトバーに外嵌される方式のものは、ドライバーを使用しないと引き手をロールスクリーンに脱着することができなかった。
【０００４】
【発明が解決しようとする課題】
本発明はこれらの問題を解決するためになされたものであり、その課題は、内部が隔壁により長手方向に延長する上室及び下室に分かれ、長手方向に延長する上スリット及び下スリットにより上室及び下室に開口するウェイトバーに脱着する各形式の引き手であって、製造コストの低減が可能であり、かつユーザが工具を使用せずに容易に脱着することができるものを提供することにある。
【０００５】
【課題を解決するための手段】
前記課題を達成するため、本発明が採用する第１手段は、ウェイトバーの下スリットに挿入して４分の１回転するとウェイトバーに弾性的に固定され、ついで、さらに４分の１回転するか、又は逆に４分の１回転して元に戻すと、ウェイトバーから外れる止め具を形成し、その止め具にプルコードを連結することにある。
【０００６】
第２手段は、ウェイトバーをプルグリップに通し、プルグリップにウェイトバーを支える押え具を内装し、第１の手段の止め具を下から押え具に挿入して４分の１回転すると、押え具がグリップにウェイトバーを弾性的に固定し、次に、さらに４分の１回転するか、又は逆に４分の１回転して元に戻すと、外れるようにプルグリップと押え具を形成することにある。必要に応じて、プルグリップの止め具にプルコードを連結するか、又はプルグリップにプルリングを回動可能に取り付ける。
【０００７】
止め具は、軸部と、その軸部の上端から直径方向に延長して湾曲する両腕部と、軸部下端から両腕部に直交する方向に延長する両脚部と、全体の中央を上下に貫通する軸孔とからなる。止め具は、ウェイトバーの下スリットに両腕部と軸部を挿入して４分の１回転すると、両腕部がウェイトバーの隔壁と下スリットの両壁の間に弾性的に挟持されるように形成する。
【０００８】
プルグリップは、上端が開口するＣ字形横断面の割りスリーブ状に形成され、底部中央に長手方向に延長する長孔を、その長孔の両端の底面には凹部を有する。長孔の内幅はウェイトバーの下スリットの内幅に略等しい。プルグリップの底部の両側端部にはプルリングの両端部を回動自在に軸受けする軸受部を形成する。
【０００９】
押え具はウェイトバーの下面に沿う押え板部と、その押え板部から長孔内に垂下する両足部とからなる。両足部は弾性的に開閉可能であり、その下端から外方に突出する凸部はプルグリップの凹部にはまる。両足部間の内幅は止め具の両腕部の延長方向幅に等しいか又はそれよりも少し大きい。
【００１０】
プルグリップと押え具は、止め具をプルグリップの長孔にはめた押え具の両足部の間に両腕部と軸部に挿入して４分の１回転すると、両腕部がプルグリップの底部と押え具の押え板部の間に弾性的に挟持されて押え板部がウェイトバーをプルグリップの内周面上部に押圧するように形成する。
【００１１】
【発明の実施の形態】
本発明の引き手の第１実施例を図面に基づいて説明する。
図１は、第１実施例のプルコード式引き手を備えたロールスクリーンの要部の垂直側断面図、図２及び図３は図１の止め具の正面図及び平面図、図４は図３のＩＶ−ＩＶ線矢視図である。
【００１２】
これらの図面に示すように、ロールスクリーンのウェイトバー１は隔壁２により内部が上室３と下室４に分かれ、上室３と下室４は長手方向に延長する上スリット５と下スリット６を介して開口する。スクリーン８は、下端部９が上スリット５から上室３に挿入され、そこに掛け止めされることによりウェイトバー１と連結する。ウェイトバー１の下室４には止め具１０が内装される。
【００１３】
止め具１０は軸部１１と、その軸部の上端部から直径方向に延長し、ついで上方に湾曲する両腕部１２と、軸部の下端部から腕部と直交する方向に延長する両脚部１３と、軸部１１、腕部１２、脚部１３の中央を貫通する軸孔１４とからなる。軸部１１の外径と両腕部１２は、ウェイトバー１の下スリット６の内幅以下である。両腕部１２の延長方向幅は下スリット６の内幅よりも大きいが、両脚部１３の延長方向に直交する方向の幅は、下スリット６の内幅以上である。下スリット６から止め具１０の両腕部１２と軸部１１をウェイトバー１の下室４に入れ、そこで、４分の１回転すると、両腕部１２がウェイトバー１の隔壁２と下スリットの両側壁７の間において弾性的に挟持され、止め具１０はウェイトバー１に固定される。
【００１４】
プルコード２６は上端部が止め具１０の軸孔１３に、下端部がつまみ２４の軸孔２５にそれぞれ通されて結び目を形成する。止め具１０の軸孔１３は上半部の内径が下半部の内径よりも大きく、つまみ２４の軸孔２５は下半部の内径が上半部よりも大きくそれぞれ形成されているから、プルコード２６の結び目は止め具１０からもつまみ２４からも抜けるおそれはない。スクリーン８はつまみ２４を操作して昇降する。このように、プルコード式引き手は工具を使用せずに容易にロールスクリーンに脱着可能である。
【００１５】
【実施例】
第２実施例を図面に基づいて説明する。
図５は第２実施例のプルグリップ式引き手を備えたロールスクリーンの要部の側面図、図６は図５の止め具装着前のプルグリップの縦断面図、図７は止め具装着後のプルグリップの横断面図である。
【００１６】
図５に示すように、このロールスクリーンのウェイトバー１は第１実施例のものと同一であるが、スクリーン８の下端部９は筒状に縫われ、その内部にウェイトバー１が挿通される。ウェイトバー１とスクリーン８の下端部は断面Ｃ字形のプルグリップ１５に通され、プルグリップ１５に内装した押え具２０と、止め具１０を介してプルグリップ１５に固定される。この止め具１０は第１実施例のものと同一である。
【００１７】
図６及び図７に示すように、プルグリップ１５の底部１８には長手方向に延長する長孔１６があけられ、その長孔１６の長手方向の両側下面には凹部１７が形成される。押え具２０は、ウェイトバー１を下支えする押え板部２３と、その押え板部２３から長孔１６内に垂下する両足部２１からなり、両足部２１は弾性的に開閉可能であり、その下端にはプルグリップ１５の凹部１７にはまる凸部２２を有する。
【００１８】
プルグリップ１５の底部１８の上下幅はウェイトバー１の下スリット６の両側壁の上下幅に、押え具２０の両足部２１の長さは、ウェイトバー１の下面から隔壁２までの距離に、それぞれ等しい。両足部２１の間の幅は止め具１０の両腕部１２の延長方向幅以上である。長孔１６の内幅はウェイトバー１の下スリット６の内幅に略等しい。
【００１９】
したがって、止め具１０の腕部１２を下からグリップ１５の長孔１６にはめる押え具２０の両足部２１の間に入れて両脚部１３の上面がプルグリップ１５の底部１８に接するまで止め具１０を持ち上げ、ついで４分の１回転すると、止め具１０の両腕部１２は、押え具２０の押え板部２３とプルグリップ１５の底部１８の上面の間に弾性的に挟持されるから、止め具１０と押え具２０はプルグリップ１５に弾性的に固定する。このとき、押え板部２３はウェイトバー１をスクリーン８の下端部９と共にグリップ１５の内面に押圧して固定する。
【００２０】
ここまでの第２実施例はプルグリップ式引き手である。これを、プルコード式引き手とするには、第１実施例と同様に、止め具１０の軸部１１の軸孔１４に、プルコード２６の上端部を通して結び目を形成し、プルコード２０の下端部はつまみ２４の軸孔に通して結び目を形成する。そのつまみ２４を引いてスクリーン８を昇降させる。
【００２１】
次に、第３実施例を図面に基づいて説明する。
図８はプルグリップの平面図、図９及び図１０は、第３実施例のプルリング式引き手を備えたロールスクリーンの要部の側面図及び縦断面図である。
【００２２】
このロールスクリーンのスクリーン８の下端部９は、第２実施例と同様に筒状に縫われ、内部にウェイトバー１が通される。又、ウェイトバー１とスクリーン８の下端部９は第２実施例と同じグリップ１５にはめられ、止め具１０と押え具２０を介してグリップ１５に固定される。しかし、第２実施例とは異なり、止め具１０にプルコードは取り付けられない。その代わり、グリップ１５の底部１８の両側端部にプルリング２７の両端部２８を回動自在に取り付ける。スクリーン８はプルリング２７を操作して昇降する。図８に示すように、プルグリップ１５の底部１８の両側部には、予め、プルリングの両端部の軸受部１９が形成される。
【００２３】
このように、筒状のスクリーン端部に挿通されたウェイトバーのプルグリップ式引き手もプルコード式プルリング式引き手も、すべて工具を使用せずに、容易にロールスクリーンに脱着可能である。
【００２４】
第２及び第３実施例のウェイトバーは、筒状に縫製したスクリーン下端部に通したが、スクリーンの下端部を内部に止着したウェイトバーにもそのまま適用できるから、スクリーン下端部を内部に止着したウェイトバーのプルグリップ式引き手及びプルリング式引き手も工具を使用せずにロールスクリーンに脱着可能である。
【００２５】
【発明の効果】
上記のとおり、本発明の引き手は、プルコードの取り付け可能な止め具を、ウェイトバーに工具を使用せずに脱着自在に形成し、その止め具を介してプルリングの取り付け可能なプルグリップもウェイトバーに工具を使用せずに脱着可能に形成したから、各形式の引き手の部品が共通化して生産コストが低減すると共に、ユーザが工具を使用せずに各形式の引き手をロールスクリーンに容易に取り付けることも取り外すこともできるという優れた効果を奏する。
【図面の簡単な説明】
【図１】本発明の第１実施例の引き手を備えたロールスクリーンの要部の垂直側断面図、
【図２】図１の止め具の正面図、
【図３】図１の止め具の平面図、
【図４】図３のＩＶ−ＩＶ線矢視図、
【図５】第２実施例の引き手を備えたロールスクリーンの要部の側面図、
【図６】図５のプルグリップの縦断面図、止め具装着前の状態を示す。
【図７】図５のプルグリップの側断面図、止め具装着後の状態を示す。
【図８】図５のプルグリップの平面図、
【図９】第３実施例の引き手を備えたロールスクリーンの要部の側面図、
【図１０】第３実施例の要部の縦断面図、
【符号の説明】
１：ウェイトバー
２：隔壁
３：上室
４：下室
５：上スリット
６：下スリット
７：側壁
８：スクリーン
９：下端部
１０：止め具
１１：軸部
１２：腕部
１３：脚部
１４：軸孔
１５：プルグリップ
１６：長孔
１７：凹部
１８：底部
１９：軸受部
２０：押え具
２１：足部
２２：凸部
２３：押え板部
２４：つまみ
２５：軸孔
２６：プルコード
２７：プルリング
２８：端部
【図１】
0004407058.tif 000002
【図２】
0004407058.tif 000003
【図３】
0004407058.tif 000004
【図４】
0004407058.tif 000005
【図５】
0004407058.tif 000006
【図６】
0004407058.tif 000007
【図７】
0004407058.tif 000008
【図８】
0004407058.tif 000009
【図９】
0004407058.tif 000010
【図１０】
0004407058.tif 000011